(57)【要約】      （修正有）【課題】栽培物の生長のばらつきを防止して安定的に生産できるとともに、人工光の照明用の電力コストを削減することが可能な水耕栽培システム、水耕栽培制御装置、水耕栽培方法及びプログラムを提供する。【解決手段】水耕栽培ユニット１１と、採光装置１３と、人工光照射装置１７と、採光センサ１８と、制御装置１０とを有する。水耕栽培ユニットは、栽培対象の植物の苗が移植される苗床が配置されたものである。採光装置は、苗床に対向する放光面１５ａに採光口１４から自然光を採り入れて放光面から苗に出射させる。人工光照射装置は、苗に人工光を照射する。採光センサは、苗床から離間した位置に設けられ、放光面から出射する自然光の光量を検出する。制御装置は、検出された光量を基に、苗床の苗の栽培面に照射される自然光の光量の予測値を算出し、当該予測値に基づいて、人工光の照射量を制御する。【選択図】図１
2017212886.tif 000002
【特許請求の範囲】
【請求項１】
栽培対象の植物の苗が移植される苗床が配置された水耕栽培ユニットと、
前記苗床に対向する放光面に採光口から自然光を採り入れて前記放光面から前記苗に出射させる採光装置と、
前記苗に人工光を照射する人工光照射装置と、
前記苗床から離間した位置に設けられ、前記放光面から出射する前記自然光の光量を検出する採光センサと、
前記検出された光量を基に、前記苗床の前記苗の栽培面に照射される前記自然光の光量の予測値を算出し、当該予測値に基づいて、前記人工光の照射量を制御する制御装置と
を具備する水耕栽培システム。
【請求項２】
請求項１に記載の水耕栽培システムであって、
前記制御装置は、所定期間における前記予測値の積算値との和が所定の目標瞬時光量となるように前記所定期間における前記人工光の照射量を制御する
水耕栽培システム。
【請求項３】
請求項１に記載の水耕栽培システムであって、
前記採光センサは、前記放光面に設けられる
栽培システム。
【請求項４】
請求項３に記載の水耕栽培システムであって、
前記人工光照射装置は、前記放光面に設けられ、
前記採光センサは、前記放光面の前記人工光の影響を受けない位置に設けられる
水耕栽培システム。
【請求項５】
請求項４に記載の水耕栽培システムであって、
前記苗床は、水平方向で互いに逆向きに設けられた一対の放光面を挟んで前記水平方向で対向して設けられ、
前記採光センサは、前記自然光の非照射時において、当該採光センサが設けられた放光面に対向する放光面に設けられた前記人工光照射装置から前記苗に照射された人工光の反射光の光量を検出可能であり、
前記制御装置は、前記検出された反射光の光量の推移を基に、前記人工光の照射量を制御する
水耕栽培システム。
【請求項６】
請求項１に記載の水耕栽培システムであって、
屋外の自然光の光量を検出する屋外光センサをさらに具備し、
前記制御装置は、前記採光センサによって検出された自然光の光量の推移と前記屋外光センサによって検出された自然光の光量の推移とに相関が無いと判断された場合に、異常を示す情報を出力する
水耕栽培システム。
【請求項７】
栽培対象の植物の苗が移植される苗床が配置された水耕栽培ユニットと、
前記苗床に対向する放光面に採光口から自然光を採り入れて前記放光面から前記苗に出射させる採光装置と、
前記苗に人工光を照射する人工光照射装置と、
前記放光面の前記人工光の影響を受けない位置に設けられ、前記放光面から出射する前記自然光の光量を、前記人工光の照射量の制御のために検出する採光センサと
を具備する水耕栽培システム。
【請求項８】
栽培対象の植物の苗が移植される苗床から離間した位置に設けられた採光センサから、前記苗床に対向する放光面に採光口から採り入れられて当該放光面から出射する自然光の光量の検出値を受信する受信部と、
前記受信された検出値を基に、前記苗床の前記苗の栽培面に照射される前記自然光の光量の予測値を算出し、当該予測値に基づいて、前記苗に照射される人工光の照射量を制御する制御部と
を具備する水耕栽培制御装置。
【請求項９】
水耕栽培ユニットに、栽培対象の植物の苗が移植される苗床を配置し、
前記苗床に対向する放光面に外部から自然光を採り入れて前記放光面から前記苗に照射し、
前記苗床から離間した位置に設けられた採光センサによって検出された、前記放光面から出射する前記自然光の光量を基に、前記苗床の前記苗の栽培面に照射される前記自然光の光量の予測値を算出し、
前記予測値に基づいて、前記苗に照射される人工光の照射量を制御する
水耕栽培方法。
【請求項１０】
水耕栽培制御装置に、
栽培対象の植物の苗が移植される苗床から離間した位置に設けられた採光センサから、前記苗床に対向する放光面に採光口から採り入れられて当該放光面から出射する自然光の光量の検出値を受信するステップと、
前記受信された検出値を基に、前記苗床の前記苗の栽培面に照射される前記自然光の光量の予測値を算出するステップと、
前記予測値に基づいて、前記苗に照射される人工光の照射量を制御するステップと
を実行させるプログラム。
【発明の詳細な説明】
【技術分野】
【０００１】
本発明は、採光装置によって採り入れた自然光と人工光とを併用した水耕栽培システム、当該水耕栽培システムに用いられる水耕栽培制御装置、水耕栽培方法、及びプログラムに関する。
【背景技術】
【０００２】
従来から、水耕栽培を利用して野菜等の植物を屋内で栽培する水耕栽培システムが実用化されている。そのような水耕栽培システムにおいては、人工光のみを利用する栽培方式と、自然光（太陽光）と人工光とを併用する栽培方式とが存在する。
【０００３】
後者に関して、下記特許文献１には、植物栽培ハウス内の閉鎖空間である生育室に、養液循環手段が設けられた複数段の植物栽培棚を設け、当該植物栽培棚の上方に、ランプ、ＬＥＤ等の人工光源を設けるとともに、植物栽培ハウスの屋根の上方に設けられた採光装置によって太陽光を集光し、それを複数の反射鏡によって植物栽培棚に向けて照射する植物工場が開示されている。
【先行技術文献】
【特許文献】
【０００４】
【特許文献１】特開２０１２−２３１７２１号公報
【発明の概要】
【発明が解決しようとする課題】
【０００５】
しかしながら、上記特許文献１に記載の技術では、採光装置によって採光される太陽光は、天気によってその強度が異なるため、栽培物の成長にばらつきが生じてしまう。
【０００６】
一方で、人工光によって必要以上に補光すると、それが栽培物の生長に寄与せずに電力が無駄になってしまう。
【０００７】
以上のような事情に鑑み、本発明の目的は、栽培物の生長のばらつきを防止して安定的に生産できるとともに、人工光の照明用の電力コストを削減することが可能な水耕栽培システム、水耕栽培制御装置、水耕栽培方法及びプログラムを提供することにある。
【課題を解決するための手段】
【０００８】
上記目的を達成するため、本発明の一形態に係る水耕栽培システムは、水耕栽培ユニットと、採光装置と、人工光照射装置と、採光センサと、制御装置とを有する。上記水耕栽培ユニットは、栽培対象の植物の苗が移植される苗床が配置されたものである。上記採光装置は、上記苗床に対向する放光面に採光口から自然光を採り入れて上記放光面から上記苗に出射させする。上記人工光照射装置は、上記苗に人工光を照射する。上記採光センサは、上記苗床から離間した位置に設けられ、上記放光面から出射する上記自然光の光量を検出する。上記制御装置は、上記検出された光量を基に、上記苗床の上記苗の栽培面に照射される上記自然光の光量の予測値を算出し、当該予測値に基づいて、上記人工光の照射量を制御する。
【０００９】
これにより栽培システムは、栽培面に照射される自然光の光量の予測値を基に人工光の照射量を制御することで、自然光のみで栽培する場合の栽培物の生長のばらつきを防止して安定的に生産できるとともに、必要に応じて人工光を照射することで人工光の照明用の電力コストを削減することができる。
【００１０】
上記制御装置は、所定期間における上記予測値の積算値の和が所定の目標瞬時光量（瞬時値：単位μmol/m2・s）となるように上記所定期間における上記人工光の照射量を制御してもよい。
【００１１】
これにより水耕栽培システムは、目標瞬時光量を設定することで栽培物をより安定的に生産することができる。上記所定期間は例えば１時間でもよいし１日でもよい。
【００１２】
上記採光センサは、上記放光面に設けられてもよい。
【００１３】
これにより水耕栽培システムは、採光センサを、自然光が栽培面に照射される直前の放光面に設けることで、屋外等に設けられる場合に比べてより正確に栽培面の光量を予測することができる。
【００１４】
上記人工光照射装置は、上記放光面に設けられてもよい。この場合上記採光センサは、上記放光面の上記人工光の影響を受けない位置に設けられてもよい。
【００１５】
これにより水耕栽培システムは、人工光の照射中も人工光の影響を受けることなく放光面の自然光の光量を検出し栽培面の光量を予測することができる。
【００１６】
上記苗床は、水平方向で互いに逆向きに設けられた一対の放光面を挟んで上記水平方向で対向して設けられてもよい。この場合上記採光センサは、上記自然光の非照射時において、当該採光センサが設けられた放光面とは別の放光面に設けられた上記人工光照射装置から上記苗に照射された人工光の反射光の光量を検出可能であってもよい。またこの場合上記制御装置は、上記検出された反射光の光量の推移を基に、上記人工光の照射量を制御してもよい。
【００１７】
一般に、苗が成長して葉の面積が大きくなると、葉が光を吸収するために反射率は低下する。したがって水耕栽培システムは、採光センサにより、放光面から照射される自然光の光量を検出するだけでなく、その放光面とは反対側の放光面から苗に照射された人工光の反射光の推移を検出することで、苗の生長度合を把握し、それに応じて人工光の照射量を制御することで苗の生長を管理することができる。
【００１８】
また、苗の生長度合は、苗床の反射率と葉の反射率も関係している。
一般に、苗床の反射率が葉の反射率よりも高い場合、葉の生長に伴って苗床から反射する光が減少し、苗床の反射率が低い場合は、葉が生長するに従って、葉から反射する光の量が増加するので、採光センサで検出する反射光が増加する。
【００１９】
従って、目標の葉面積に達している場合の反射光を基準としたとき、苗床が葉の反射率よりも高い場合、葉の生長が遅れていると苗床から反射する光が増加するので、基準の反射光よりも高い数値が検出される。
【００２０】
また、苗床の反射率が葉の反射率よりも低い場合は、葉の生長が遅れていると葉から反射する光の量が減少するので、基準の反射光よりも低い数値が検出される。
このように、反射率を考慮したうえで、採光センサで検出する反射光と目標の葉面積に達している場合の基準の反射光との誤差を判断し、葉の生長を管理することができる。
【００２１】
上記水耕栽培システムは、屋外の自然光の光量を検出する屋外光センサをさらに有してもよい。この場合上記制御装置は、上記採光センサによって検出された自然光の光量の推移と上記屋外光センサによって検出された自然光の光量の推移とに相関が無いと判断された場合に、異常を示す情報を出力してもよい。
【００２２】
これにより水耕栽培システムは、通常は屋外光と連動する放光面の光量が屋外光と連動していないことが検出された場合には、異常情報を出力することで、照射量制御の精度を向上させることができる。ここで上記両推移に相関が無くなる原因としては、例えば採光センサに直射光が当たったり、苗や人の影になって採光量が減少したり等の事態が想定される。
【００２３】
本発明の他の形態に係る水耕栽培システムは、水耕栽培ユニットと、採光装置と、人工光照射装置と、採光センサとを有する。上記水耕栽培ユニットは、栽培対象の植物の苗が移植される苗床が配置されたものである。上記採光装置は、上記苗床に対向する放光面に採光口から自然光を採り入れて上記放光面から上記苗に出射させる。上記人工光照射装置は、上記苗に人工光を照射する。上記採光センサは、上記放光面の上記人工光の影響を受けない位置に設けられ、上記放光面から出射する上記自然光の光量を、上記人工光の照射量の制御のために検出する。
【００２４】
本発明のまた別の形態に係る水耕栽培制御装置は、受信部と制御部とを有する。上記受信部は、栽培対象の植物の苗が移植される苗床から離間した位置に設けられた採光センサから、上記苗床に対向する放光面に採光口から採り入れられて当該放光面から上記苗に出射する自然光の光量の検出値を受信する。上記制御部は、上記受信された検出値を基に、上記苗床の上記苗の栽培面に照射される上記自然光の光量の予測値を算出し、当該予測値に基づいて、上記苗に照射される人工光の照射量を制御する。
【００２５】
本発明のまた別の形態に係る水耕栽培方法は、
水耕栽培ユニットに、栽培対象の植物の苗が移植される苗床を配置し、
上記苗床に対向する放光面に外部から自然光を採り入れて上記放光面から上記苗に出射させ、
上記苗床から離間した位置に設けられた採光センサによって検出された、上記放光面から出射する上記自然光の光量を基に、上記苗床の上記苗の栽培面に照射される上記自然光の光量の予測値を算出し、
上記予測値に基づいて、上記苗に照射される人工光の照射量を制御することを含む。
【００２６】
本発明のさらに別の形態に係るプログラムは、水耕栽培制御装置に、
栽培対象の植物の苗が移植される苗床から離間した位置に設けられた採光センサから、上記苗床に対向する放光面に採光口から採り入れられて当該放光面から上記苗に出射する自然光の光量の検出値を受信するステップと、
上記受信された検出値を基に、上記苗床の上記苗の栽培面に照射される上記自然光の光量の予測値を算出するステップと、
上記予測値に基づいて、上記苗に照射される人工光の照射量を制御するステップとを実行させる。
【発明の効果】
【００２７】
以上説明したように、本発明によれば、栽培物の生長のばらつきを防止して安定的に生産できるとともに、人工光の照明用の電力コストを削減することができる。しかし、当該効果は本発明を限定するものではない。
【図面の簡単な説明】
【００２８】
【図１】本発明の一実施形態に係る水耕栽培システムの構成を示した図である。
【図２】本発明の一実施形態に係る水耕栽培システムの制御装置のハードウェア構成を示した図である。
【図３】本発明の一実施形態に係る水耕栽培システムの概略的な動作の流れを示したフローチャートである。
【図４】本発明の一実施形態に係る水耕栽培システムにおける栽培面の光量と放光面の光量との関係を示したグラフである。
【図５】本発明の一実施形態に係る水耕栽培システムにおける補光量と放光面の光量との関係を示したグラフである。
【図６】本発明の一実施形態に係る水耕栽培システムにおけるＬＥＤの出力と補光量との関係を示したグラフである。
【図７】本発明の一実施形態に係る水耕栽培システムによるＬＥＤの調光制御処理の具体例を説明した図である。
【図８】本発明の一実施形態に係る水耕栽培システムによるＬＥＤの調光制御処理に必要な積算光量の管理を説明した図である。
【図９】本発明の一実施形態に係る水耕栽培システムによるＬＥＤの調光制御処理の流れを説明したフローチャートである。
【図１０】本発明の一実施形態に係る水耕栽培システムによるＬＥＤの調光制御処理における１時間の制御と１日の制御との関係を示した図である。
【図１１】本発明の一実施形態に係る水耕栽培システムによるＬＥＤの調光制御処理のさらに詳細な流れを示したフローチャートである。
【図１２】本発明の一実施形態に係る水耕栽培システムによるＬＥＤの調光制御処理の１日の実施結果を示した表である。
【図１３】本発明の一実施形態に係る水耕栽培システムによるＬＥＤの調光制御処理の１日の実施結果を示したグラフである。
【図１４】本発明の一実施形態に係る水耕栽培システムにおける栽培面及び放光面の光量と栽培日数との関係を示した図である。
【図１５】本発明の一実施形態に係る水耕栽培システムによる葉の反射光量を用いた生長管理処理の流れを示したフローチャートである。
【発明を実施するための形態】
【００２９】
以下、図面を参照しながら、本発明の実施形態を説明する。
【００３０】
［システムの構成］
図１は、本実施形態に係る水耕栽培システムの構成を横断面から示した図である。
【００３１】
この水耕栽培システムは、レタス、グリーンリーフ、サラダ菜、ミズ菜、ホウレンソウ、ハーブ類等の葉物野菜等の植物を栽培するためのシステムである。
【００３２】
同図に示すように、水耕栽培システム１００は、制御装置１０と、水耕栽培ユニット１１と、採光装置１３とを有し、これらは植物工場内に設けられる。
【００３３】
水耕栽培ユニット１１は、苗床で種から育てられた、栽培対象の上記葉物野菜の苗Ｖが移植された栽培パネル１２を有する。栽培パネル１２は水耕栽培ユニット１１において縦（垂直方向）に配置されている。栽培パネル１２は、苗が移植される苗床の一例である。苗床は、栽培パネル１２のようなパネル状のもの以外に、例えば筒状とされてもよい。
【００３４】
栽培パネル１２としては、例えば、ポリスチレン、ポリプロピレン、ポリエチレン、ポリウレタン等の合成樹脂からなるボード（発砲ボードを含む）、植物繊維、樹脂繊維、無機繊維等の繊維素材からなる繊維ボード、及び木材等が用いられるが、軽量であるとともに、生育した苗Ｖの重さに耐え得る強度を有していれば得に限定されない。
栽培パネル１２の形状は特に限定されず、板、柱、筒、棚田状、傾斜など、植物の苗を保持することが可能であればよい。
【００３５】
栽培パネル１２には、移植された苗Ｖを保持する複数の植え付け孔（図示せず）が穿設されており、当該植え付け孔は、苗Ｖの収穫期の大きさを考慮した適切な間隔で配列されている。
【００３６】
栽培パネル１２の一方の面は栽培面１２ａとされ、他方の面は液肥供給面とされる。液肥（固形又は液状の肥料を水に溶かした液体肥料）Ｌは、液肥タンク２０からポンプ２１によって液肥供給パイプ２２を介して液肥供給口２３まで供給され、当該液肥供給口２３から液肥供給面を伝わって苗Ｖの根に行き渡るようになっている。
【００３７】
採光装置１３は、自然光（太陽光）を取り入れることが可能な構造であればよく、光ダクト、天窓などが用いられる。太陽光追尾装置、ルーバーなどを備えていてもよい。例えば、光ダクトとして構成される場合、自然光（太陽光）を採り入れる採光口１４と、水平方向で対向する一対のアクリル板１５と、採光口１４とアクリル板１５の間に設けられた拡散板１６を有する。
アクリル板１５の素材はアクリルに限定されず、ポリカーボネート、ビニールなど透明な素材であればよい。また、アクリル板１５の形状は板状に限定されず、フィルム状など種々の形状のものが用いられる。このアクリル板等の透明仕切りは、栽培空間の空調効率を向上させるために設置することが好ましいが、作業性やコスト面を考慮して設置しなくてもよい。
【００３８】
採光口１４から採り入れられた太陽光は、拡散板１６によって拡散され、アクリル板１５の間で反射を繰り返しながら、アクリル板１５の外側の面（放光面１５ａ）から放光（出射）され栽培パネル１２の苗Ｖに照射される。一対のアクリル板１５の各放光面１５ａは、水平方向で互いに逆向きに設けられている。
【００３９】
また、上記栽培パネル１２は、上記一対のアクリル板１５を挟んで地面と水平方向で対向して設けられている。
【００４０】
アクリル板１５の放光面１５ａには、上記苗Ｖに人工光を照射する人工光照射装置としてのＬＥＤ１７が設けられている。当該ＬＥＤは、上記苗Ｖに対して照射される光が、太陽光のみでは所定の目標値に達しない場合に、上記太陽光を補光する役割を担う。
【００４１】
当該ＬＥＤ１７による補光は、採光装置１３による放光面１５ａからの太陽光の照射と並行して実行されるほか、太陽光が照射されない夜間においても行われる。
【００４２】
また同じくアクリル板１５の放光面１５ａには、当該放光面１５ａから出射した太陽光の光量を検出する採光センサ１８が設けられている。当該採光センサ１８は、上記栽培パネルから離間した位置であって、同じ放光面１５ａに設けられたＬＥＤ１７から照射される人工光の影響を受けない位置、例えば採光センサ１８の受光部がアクリル板１５側を向いており、同じ放光面１５ａに設けられたＬＥＤ１７から照射される人工光を受光しない位置に配置されている。
【００４３】
また水耕栽培ユニット１１の外部には、屋外の自然光（太陽光）の光量を検出する屋外光センサ１９が設けられている。
【００４４】
制御装置１０は、上記ＬＥＤ１７及び上記採光センサ１８と接続されている。制御装置１０は、上記採光センサ１８によって検出された放光面１５ａにおける太陽光の光量を受信し、当該検出された太陽光の光量を基に、栽培パネル１２の苗Ｖの栽培面１２ａに照射される太陽光の光量の予測値を算出する。そして制御装置１０は、当該予測値に基づいて、ＬＥＤ１７から照射される人工光の照射量を制御することが可能である（以下、この制御を調光制御処理ともいう）。具体的には、制御装置１０は、所定期間（１時間、１日等）における、栽培面１２ａの光量の予測値の積算値との和が所定の目標瞬時光量となるように、当該所定期間におけるＬＥＤ１７からの人工光の照射量を制御する。当該調光制御処理の詳細については後述する。
【００４５】
また制御装置１０は、上記ポンプ２１にも接続され、液肥の供給及び供給量を制御する。また制御装置１０は上記屋外光センサ１９にも接続され、屋外光センサ１９によって検出された屋外光の光量を受信する。
【００４６】
詳細は後述するが、制御装置１０は、上記採光センサ１８によって検出された太陽光の光量の推移と、上記屋外光センサ１９によって検出された太陽光の光量の推移とを比較して、それらの間に相関が無いと判断された場合に、異常を示す情報を出力することも可能である。
【００４７】
また上記採光センサ１８は、上記自然光の非照射時（例えば夜間や雨天時）において、当該採光センサ１８が設けられたアクリル板１５に対向するもう一方のアクリル板１５の放光面１５ａに設けられたＬＥＤ１７から苗Ｖに照射された人工光の反射光の光量を検出することも可能である。
【００４８】
そして、詳細は後述するが、上記制御装置１０は、当該検出された反射光の光量の推移を基に、苗Ｖの生長度合を把握し、それに応じてＬＥＤ１７から照射される人工光の照射量を制御することも可能である。
【００４９】
［制御装置のハードウェア構成］
図２は、上記制御装置１０のハードウェア構成を示した図である。同図に示すように、制御装置１０は、ＣＰＵ（Central Processing Unit）１、ＲＯＭ（Read Only Memory）２、ＲＡＭ（Random Access Memory）３、入出力インタフェース５、及び、これらを互いに接続するバス４を備える。
【００５０】
ＣＰＵ１は、必要に応じてＲＡＭ３等に適宜アクセスし、各種演算処理を行いながら制御装置１０の各ブロック全体を統括的に制御する。ＲＯＭ２は、ＣＰＵ１に実行させるＯＳ、プログラムや各種パラメータなどのファームウェアが固定的に記憶されている不揮発性のメモリである。ＲＡＭ３は、ＣＰＵ１の作業用領域等として用いられ、ＯＳ、実行中の各種アプリケーション、処理中の各種データを一時的に保持する。
【００５１】
入出力インタフェース５には、表示部６、操作受付部７、記憶部８、通信部９等が接続される。
【００５２】
表示部６は、例えばＬＣＤ（Liquid Crystal Display）、ＯＥＬＤ（Organic Electro Luminescence Display）、ＣＲＴ（Cathode Ray Tube）等を用いた表示デバイスである。表示部６には、例えば上記採光センサ１８や屋外光センサ１９の検出値や、ＬＥＤ１７の出力値等の制御画面等が表示されてもよい。
【００５３】
操作受付部７は、例えばマウス等のポインティングデバイス、キーボード、タッチパネル、その他の入力装置である。操作受付部７がタッチパネルである場合、そのタッチパネルは表示部６と一体となり得る。
【００５４】
記憶部８は、例えばＨＤＤ（Hard Disk Drive）や、ＳＳＤ（Solid State Drive）等のフラッシュメモリ等の不揮発性メモリである。当該記憶部８には、上記ＯＳや各種アプリケーション、各種データに加えて、本実施形態における調光制御処理に必要なソフトウェアプログラム及びデータが記憶される。
【００５５】
記憶部８に記憶されるデータには、上記採光センサ１８で検出された放光面光量、屋外光センサ１９で検出された屋外光量、上記検出された放光面光量の所定期間（例えば１時間及び１日）における積算光量、当該放光面光量を基に算出された栽培面光量（予測値）、当該栽培面光量の目標値、及び目標値と栽培面光量との差分値、１日毎の使用電力値等のデータが含まれる。
【００５６】
通信部９は、例えばEthernet用のＮＩＣ（Network Interface Card）や無線ＬＡＮ等の無線通信用の各種モジュールであり、上記ＬＥＤ１７、採光センサ１８、屋外光センサ１９との間の通信に用いられる。
【００５７】
［水耕栽培システムの動作］
次に、以上のように構成された水耕栽培システム１００の動作について説明する。当該動作は、上記制御装置１０のＣＰＵ１等のハードウェアと、記憶部８に記憶されたソフトウェア、及び制御装置１０に接続されたＬＥＤ１７、採光センサ１８、屋外光センサ１９との協働により実行される。
【００５８】
図３は、上記水耕栽培システムによる調光制御処理の概略的な流れを示したフローチャートである。
【００５９】
同図に示すように、まず、上記採光センサ１８により、放光面１５ａの瞬時光量が測定される（ステップ３１）。当該測定値は、制御装置１０へ送信され記憶部８に記憶される。
【００６０】
続いて制御装置１０は、上記測定された放光面１５ａの瞬時光量から、栽培面１２ａの瞬時光量を予測する（ステップ３２）。当該予測処理には、栽培面１２ａの瞬時光量と放光面１５ａの瞬時光量との関係を示すデータ（後述）が用いられる。
【００６１】
続いて制御装置１０は、所定期間（１時間、１日等）における上記栽培面１２ａの光量の予測値（積算値）を、当該所定期間における栽培面１２ａの光量の目標値から減ずることで、栽培面１２ａにおける不足光量（補光量）を算出する（ステップ３３）。
【００６２】
続いて制御装置１０は、上記不足光量を基に、当該不足光量を照射するのに必要なＬＥＤ１７の出力量を決定する（ステップ３４）。当該決定には、ＬＥＤ１７による補光量とＬＥＤ１７の出力との相関データ（後述）が用いられる。
【００６３】
そして制御装置１０は、上記決定した出力値によって苗Ｖに人工光を照射（補光）するようＬＥＤ１７を制御する（ステップ３５）（調光制御処理）。
【００６４】
図４は、上記栽培面１２ａの瞬時光量（ＰＰＦＤ）と放光面１５ａの瞬時光量（ＰＰＦＤ）との関係を示したグラフである。同図では、採光装置１３によって採光される太陽光のみを苗Ｖに照射した場合の瞬時光量（同図実線）と、ＬＥＤ１７の人工光のみを苗Ｖに照射した場合の瞬時光量（同図破線）とがそれぞれ示されている。
【００６５】
同図に示すように、太陽光のみが照射される場合、栽培面１２ａにおける瞬時光量は、放光面１５ａにおける瞬時光量よりもやや少なくなっている。これは、放光面１５ａと栽培面１２ａとの距離の分だけ光が減衰するためであると考えられる。
【００６６】
一方、ＬＥＤ１７の人工光のみが照射される場合、栽培面１２ａにおける瞬時光量は、放光面１５ａにおける瞬時光量よりも著しく大きくなっている。これは、ＬＥＤ１７によって放光面１５ａから照射される光のほとんどが栽培パネル１２やアクリル板１５によって繰り返し反射されて栽培面１２ａに照射されるためであると考えられる。したがって、葉の生長に伴い、栽培パネル１２やアクリル板１５からの反射光が減少すると、ＬＥＤ１７のグラフの傾きも減少する。
【００６７】
そして、同図に示すように、栽培面１２ａに照射される瞬時光量の目標値が例えば100または150（μmol/m2・s）に設定される場合、放光面１５ａにおける瞬時光量と各目標値との差が、上記ＬＥＤ１７による補光量となる。
【００６８】
図５は、調光制御時における上記補光量と放光面の瞬時光量との関係を示したグラフである。同図に示すように、調光制御時においては、目標値が例えば100μmol/m2・sと150μmol/m2・sのいずれに設定される場合でも、放光面１５ａにおける瞬時光量Ｘと補光量Ｙとの関係は、Ｙ＝Ｘ−目標値で表されることが分かる。
【００６９】
図６は、上記ＬＥＤ１７の出力と補光量との関係を示したグラフである。同図に示すように、ＬＥＤ１７の補光量とその出力とには比例関係があることが分かる。
【００７０】
制御装置１０は、これら図４〜図６に示した各関係を示すデータを記憶部８に記憶し、上記放光面１５ａの瞬時光量から栽培面１２ａの瞬時光量（予測値）への換算及びＬＥＤ１７による不足光量の補光時のＬＥＤ１７の出力の決定に用いる。
【００７１】
［調光制御処理の具体例］
上記調光制御処理の具体的な手法としては、例えば以下の４つの例が挙げられる。
（１）ＯＮ／ＯＦＦ制御：
屋外光量に閾値を設け、屋外光量が閾値未満になった場合にＬＥＤ１７をＯＮにし、屋外光量が閾値以上になった場合にＬＥＤ１７をＯＦＦにする。
（２）目標値制御：
目標の栽培面１２ａの光量が常に目標値となるように、ＬＥＤ１７の出力を０％〜１００％との間で制御する。
（３）積算量制御：
１日の必要積算光量（目標値）の不足分を、夜間にＬＥＤ１７によって補光し、１日の光量のうち目標値を上回った光量（過剰分）は、次の日の光量として計算する。
（４）ＯＮ／ＯＦＦ制御＋積算量制御：
屋外光量もしくは放光面に設置した採光センサに閾値を設け、光量が閾値未満になった場合にＬＥＤ１７をＯＮにし、光量が閾値以上になった場合にＬＥＤ１７をＯＦＦにするとともに、１日のうちの時間帯毎に栽培面１２ａの光量の必要積算量（時間帯毎の目標値）に対する過不足を次の時間帯で補正し、一日に必要な積算光量（一日の目標値）を制御する。
【００７２】
本実施形態では、これらの手法のうち、（４）ＯＮ／ＯＦＦ制御＋積算量制御について説明する。
【００７３】
図７及び図８は、当該ＯＮ／ＯＦＦ制御＋積算量制御を概念的に示した図である。
【００７４】
図７に示すように、制御装置１０は、採光センサ１８によって検出された屋外光量Ｚが閾値Ｚ１以上となった場合（同図ｔ３）には、ＬＥＤ１７をＯＦＦにする。
屋外光量Ｚは屋外光センサ１９によって検出された値でもよい。
【００７５】
また制御装置１０は、図８に示すように、ある時間帯における栽培面１２ａにおける光量が目標値Ｈを上回った場合（Ｘ２、Ｘ３）には、その過剰分を次の時間帯の栽培面１２ａの光量として加算して目標値Ｈの過不足を監視する。
同様に、ある時間帯における栽培面１２ａにおける光量が目標値を下回った場合（Ｘ４）は、その不足分を次の時間帯の栽培面１２ａの目標値Ｈに加算して、目標値Ｈの過不足を監視する。
【００７６】
図９は、当該ＯＮ／ＯＦＦ制御＋積算量制御による調光制御処理の流れを説明したフローチャートである。以下の説明において、栽培面１２ａの（積算）光量とは、上述したように放光面１５ａの（積算）光量を基に予測された光量を指す。
【００７７】
同図に示すように、制御装置１０は、まず、栽培面１２ａにおける１日の目標積算光量を設定する（ステップ５１）。
【００７８】
続いて制御装置１０は、Ｎ時間目（Ｎは１日のうちの太陽光の照射時間（hr））の栽培面１２ａにおける目標積算光量を設定する（ステップ５２）。
【００７９】
続いて制御装置１０は、１時間目の制御を開始する（ステップ５３）。
【００８０】
続いて制御装置１０は、ＬＥＤ１７を、屋外光量が閾値Ｚ１以上か否かに応じてＯＮ／ＯＦＦ制御する（ステップ５４）。
【００８１】
この際、制御装置１０は、栽培面１２ａの光量がＮ時間における目標積算光量（累積値）を下回った場合には、屋外光量Ｚに関わらずＬＥＤ１７をＯＮにする。また制御装置１０は、栽培面１２ａの光量（太陽光）とＬＥＤ１７の光量（人工光）との合計が、苗Ｖの光飽和点（例えばレタスの場合には400μmol/m2・s）を上回った場合には、ＬＥＤ１７をＯＦＦにする。
【００８２】
続いて制御装置１０は、栽培面１２ａにおける光量に、ＬＥＤ１７のＯＮ時間を乗じることで、１時間の積算光量の実績を算出する（ステップ５５）。
【００８３】
続いて制御装置１０は、上記実績において、１時間の目標積算光量に不足が存在するか否かを判断する（ステップ５６）。
【００８４】
上記目標積算光量に不足が存在していると判断した場合（Ｙｅｓ）、制御装置１０は、その不足分を次の１時間の目標積算光量に加算する（ステップ５７）。
【００８５】
一方、上記目標積算光量に超過が生じていると判断した場合（Ｎｏ）、制御装置１０は、当該超過分を次の１時間の目標光量から減算する（ステップ５８）。
【００８６】
続いて制御装置１０は、Ｎ時間目の制御が完了したか否かを判断し（ステップ５９）、当該Ｎ時間目の制御が完了していない限り以上のステップ５２〜５６の処理を、繰り返し実行する。
【００８７】
そして制御装置１０は、Ｎ時間目の制御が完了したと判断した場合（Ｙｅｓ）、１日の目標積算光量からＮ時間後の実績値を減じることで、栽培面１２ａにおける光量の不足分を算出する（ステップ６０）。
【００８８】
続いて制御装置１０は、上記不足分について、ＬＥＤ１７による補光条件（照射時間及び照射時間帯）を設定する（ステップ６１）。具体的には、制御装置１０は、上記不足分の光量をＬＥＤ１７の最大出力時の単位時間当たりの光量で除することで照射時間を算出し、照射時間帯を、例えばＮ時間の照射直後の時間帯または夜間のいずれかの時間帯に設定する。
【００８９】
そして制御装置１０は、上記設定された補光条件に従ってＬＥＤ１７による補光を実行することで、１日における調光制御処理を完了し、次の日の調光制御処理へと移る（ステップ６２）。
【００９０】
図１０は、上記１時間における調光制御処理（同図左側）と１日における調光制御処理（同図右側）との関係を示した図である。
【００９１】
同図左側に示すように、制御装置１０は、ある１時間において、栽培面１２ａの積算光量が目標積算光量（同図破線で示す）を下回った場合には、屋外光量Ｚに関わらずＬＥＤ１７を強制的にＯＮにする。
【００９２】
また制御装置１０は、ある１時間における目標積算光量（Ｘ１）に不足分が発生した場合には、当該不足分を次の１時間における目標積算光量（Ｘ２）に追加し、また逆にある１時間において目標積算光量からの過剰分が発生した場合には、当該過剰分を次の１時間における積算光量に加算して、各時間で栽培面１２ａの積算光量が目標積算光量に達するように制御する。
【００９３】
しかし、同図右側に示すように、当該１時間毎の制御によって１日の目標積算光量Ｈに不足分が発生した場合には、上述したように、当該不足分に応じて、ＬＥＤ１７による補光の照射時間及び照射時間帯を決定して、補光を実行する。
【００９４】
図１１は、ＯＮ／ＯＦＦ制御＋積算量制御によるＬＥＤ１７の調光制御処理のさらに詳細な流れを示したフローチャートである。
【００９５】
同図において、Hsは１時間における目標積算光量、Xsは栽培面１２ａに照射される太陽光瞬時光量、Xmは当該太陽光の採光積算光量、Xpは１時間のうち現在から残り時間までに栽培面１２ａに照射が見込まれる当該太陽光の予測積算光量、Lsは栽培面１２ａに照射されるＬＥＤ１７からの人工光の瞬時光量、Lpは１時間のうち現在から残り時間までに栽培面１２ａに照射が見込まれる上記人工光の予測積算光量、Lmは上記人工光の積算光量をそれぞれ指す。
【００９６】
また同図においては、日中の調光制御処理で不足した分の夜間における調光制御処理は含まれていない。
【００９７】
同図に示すように、制御装置１０は、１日における太陽光の照射時間（時間帯）の設定値及び現在時刻をそれぞれ入力し（ステップ１１１、１１２）、現在時刻が照射時間内か否かを判断する（ステップ１１３）。
【００９８】
現在時刻が照射時間内であると判断した場合（Ｙｅｓ）、制御装置１０は、調光制御処理を開始する（ステップ１１４）。
【００９９】
当該調光制御処理の開始に伴い、制御装置１０は、ＬＥＤ１７の光量積算処理と、太陽光の光量積算処理と、調光時間の制御処理とを並行して実行する。
【０１００】
ＬＥＤ１７の光量積算処理において、制御装置１０はまず、ＬＥＤ１７をＯＮにする（ステップ１１５）。
【０１０１】
続いて制御装置１０は、ＬＥＤ１７から逐次入力される瞬時光量を基に、栽培面１２ａにおける瞬時光量Lsを逐次算出し（ステップ１１６）、それをそれ以前のＬＥＤ１７の積算光量Lmに加算していく（ステップ１１７、１１８）。
【０１０２】
また太陽光の光量積算処理において、制御装置１０は、採光センサ１８から逐次入力される放光面１５ａにおける瞬時光量を基に、栽培面１２ａにおける瞬時光量Xsを逐次算出し（ステップ１１９）、それをそれ以前の太陽光の採光積算光量Xmに加算していく（ステップ１２０、１２１）。
【０１０３】
また調光時間の制御処理において、制御装置１０は、タイマーからのスキャンタイムを逐次入力して（ステップ１２２）、それをそれ以前の積算時間tmに加算していく（ステップ１２３、１２４）。
【０１０４】
続いて制御装置１０は、上記太陽光の採光積算光量Xmと積算時間tmを基に、１時間におけるその時点からの残り時間に照射が見込まれる太陽光の予測光量Xpを、以下の式によって算出する（ステップ１２５）。
予測光量：Xp＝(Xm÷tm)×(3600−tm)＋Xm
【０１０５】
またそれと共に制御装置１０は、上記ＬＥＤ１７の積算光量Lmと積算時間を基に、１時間におけるその時点からの残り時間に照射が見込まれる人工光の予測光量Lpを、以下の式によって算出する（ステップ１２５）。
LED予測光量：Lp＝160×(3600−tm)
【０１０６】
続いて制御装置１０は、上記１時間における目標積算光量Hsから上記太陽光の予測光量Xpを引いた値（Hs-Xp）が、上記人工光の予測光量Lpよりも小さいか否かを判断する（ステップ１２６）。
【０１０７】
上記（Hs-Xp）がLpよりも小さいと判断した場合（Ｙｅｓ）、制御装置１０は、ＬＥＤ１７をＯＮにする（ステップ１２７）。既にＬＥＤ１７がＯＮである場合には、ＯＮ状態が継続される。
【０１０８】
また、制御装置１０は、上記太陽光及び人工光の各瞬時光量Xs及びLsの合計が、上限（苗Ｖの光飽和点）以上か否かを判断し（ステップ１２８）、上限以上であると判断した場合（Ｙｅｓ）には、ＬＥＤ１７をＯＦＦにする（ステップ１２９）。
【０１０９】
また、以上のＬＥＤ１７のＯＮ／ＯＦＦ制御と並行して、制御装置１０は、処理対象の１時間が経過したか否かを判断する（ステップ１３０）。
【０１１０】
１時間が経過したと判断した場合（Ｙｅｓ）、制御装置１０は、目標積算光量Hsから太陽光及び人工光の光量積算値の合計（Xm＋Lm）を引いた値を補正分として、次の対象時間における目標積算光量Hs(n+1)に加算して、次の時間の目標積算光量Hs(n+1)を設定する（ステップ１３１）。なお、制御装置１０は、状況によっては、１時間が経過するのを待つことなく、現在時刻で処理を切り替えても構わない。
【０１１１】
そして制御装置１０は、ＬＥＤ１７をＯＦＦにし（ステップ１３２）、上記太陽光の採光積算光量Xm及び積算時間tmをゼロクリアして、処理を次の時間へと切り替える（ステップ１３３）。
【０１１２】
制御装置１０は、以上の処理を、設定された照射時間が経過するまで実行する。
【０１１３】
図１２は、上記図１１に示したＯＮ／ＯＦＦ制御＋積算量制御によるＬＥＤ１７の調光制御処理の実施結果を示した表であり、図１３は、当該調光制御処理の１日の実施結果を示したグラフである。
【０１１４】
両図に示すように、午前６時から、採光装置１３から採り入れられた太陽光の放光面１５ａから栽培面１２ａへの照射が開始されるとともに、ＬＥＤ１７による栽培面１２ａへの照射も開始され、両照射とも午後１８時まで実施された。
【０１１５】
なお、１日分の目標積算光量は５mol/m2に設定され、太陽光照射時のＬＥＤ１７の光量は160μmol/m2・sに設定された。
【０１１６】
図１２の表から、上記図１１でも示したように、ある１時間における積算光量が不足していると、その不足分が次の１時間における目標積算光量の補正値として加算され、超過していると、その超過分が次の１時間における目標積算光量の補正値として減算されていることが分かる。
【０１１７】
また、日中の採光後の夜間（２１時〜２３時）において、日中の積算光量の不足分の積算光量の平均値が、夜間の時間毎の目標積算光量Hsとして加算され、ＬＥＤ１７による補光が実施される。
【０１１８】
なお、夜間の時間毎の目標積算光量は、ＬＥＤ１７が連続通電された場合のＬＥＤ１７の光量分の７０％以内になることが条件とされる。
【０１１９】
このように、制御装置１０は、日中においては、各処理対象時間において、栽培面１２ａにおける光量の予測値に基づいて動的にＬＥＤ１７をＯＮ／ＯＦＦ制御するとともに、各時間の目標積算光量に対する不足分を次の時間の目標積算光量に加算して調光を実行することができる。またそれとともに、制御装置１０は、１日の目標積算光量に対する日中の積算光量の不足分を、夜間にＬＥＤ１７による補光で賄うことができる。
【０１２０】
［苗の成長管理処理］
本実施形態では、制御装置１０は、前記各種の調光制御処理に加えて、採光センサ１８を用いた苗Ｖの生長管理処理も実行することができる。以下、この生長管理処理の詳細について説明する。
【０１２１】
一般的に、植物の葉の面積が大きくなる（すなわち、苗が生長する）にしたがって、栽培面１２ａからの反射率は減少する。これは、ＬＥＤ１７から照射された人工光を葉が吸収する割合が、葉の面積の増加にしたがって大きくなるためであると考えられる。
【０１２２】
図１４は、ＬＥＤ１７から照射される人工光の栽培面１２ａ及び放光面１５ａにおける光量と、苗Ｖの栽培日数との関係を示したグラフである。なお、同図は、ＬＥＤ１７の出力が５０％に設定された場合の値を示す。
【０１２３】
同図に示すように、放光面１５ａにおいても栽培面１２ａにおいても、栽培日数が経過する（すなわち、苗Ｖの葉が大きくなる）にしたがって、光量が減少していくことが分かる。これは、葉の生長によって、ＬＥＤ１７から照射された人工光の、栽培パネル１２またはアクリル板１５からの反射光が減少するためであると考えられる。したがって、葉の生長にしたがってＬＥＤ１７による補光量も多く必要になると考えられる。
【０１２４】
そこで本実施形態では、制御装置１０は、上記採光センサ１８を利用して、日照がない時間帯（夜間）にＬＥＤ１７を一定量照射し、栽培面１２ａからの反射光を測定することで、苗Ｖの各生長時期における反射光量が確保できているかを判断し、それによりＬＥＤ１７の出力を調整する機構を有する。
【０１２５】
すなわち、制御装置１０は、栽培パネル１２が、水平方向で対向する一対の放光面１５ａを挟んで水平方向で対向して設けられているという位置関係を利用して、一方の放光面１５ａに設置された採光センサ１８を、当該放光面１５ａに対向する栽培パネルの苗Ｖに照射される太陽光の照射量の検出のために用いると共に、その放光面１５ａとは反対側の放光面１５ａのＬＥＤ１７から当該放光面１５ａに対向する栽培パネルの苗Ｖに照射される人工光の反射光の検出のためにも用い、それにより苗Ｖの生長管理処理を実行することができる。
【０１２６】
図１５は、上記葉の反射光量を用いた生長管理処理の流れを示したフローチャートである。当該処理の実行にあたり、制御装置１０は、上記記憶部８に、上記葉の栽培日数に応じた反射率（反射光量）に関する基準データを保持している。
【０１２７】
同図に示すように、制御装置１０は、日照がない時間帯（夜間等）においてＬＥＤ１７から、当該ＬＥＤ１７が設けられた放光面１５ａ（アクリル板１５）に対向する栽培パネル１２に人工光を照射する（ステップ１６１）。この人工光の照射は、上記調光制御処理におけるＬＥＤ１７による補光処理として実行されてもよいし、それとは別に実行されてもよい。
【０１２８】
続いて制御装置１０は、上記ＬＥＤ１７が設けられた放光面１５ａ（アクリル板１５）に対向する放光面１５ａ（アクリル板１５）に設けられた採光センサ１８による、上記照射された人工光の反射光量の測定値を取得する（ステップ１６２）。
【０１２９】
続いて制御装置１０は、当該反射光の測定値が、上記基準データに照らして所定の範囲内にあるか否かを判断する（ステップ１６３）。例えば、上記基準データにおけるｘ日目の反射光量が50μmol/m2・sであるとすると、上記測定された反射光量がその±５％以内に収まっている場合には基準範囲内、そうでない場合には基準範囲外と判断される。
【０１３０】
そして制御装置１０は、上記測定された反射光量が基準範囲外と判断された場合、ＬＥＤ１７により照射される人工光の１日の目標積算光量を、所定割合（例えば１０％）増加させる（ステップ１６４）。
【０１３１】
これにより制御装置１０は、苗Ｖからの反射光量によって苗Ｖの生長度合を把握し、苗Ｖが適切に成長していないと判断された場合には、ＬＥＤ１７からの人工光の照射量を増加させることで、苗Ｖの生長を管理することができる。
【０１３２】
［まとめ］
以上説明したように、本実施形態によれば、水耕栽培システムは、栽培面１２ａに照射される太陽光の光量（放光面１５ａの光量から予測された値）を基に、ＬＥＤ１７から照射される人工光の照射量を制御することで、太陽光のみで栽培する場合の苗Ｖの生長のばらつきを防止して安定的に生産できるとともに、必要に応じて人工光を照射することで人工光の照明用の電力コストを削減することができる。
【０１３３】
［変形例］
本発明は上述の実施形態にのみ限定されるものではなく、本発明の要旨を逸脱しない範囲内において種々変更され得る。
【０１３４】
上述の実施形態において、制御装置１０は、上記採光センサ１８によって検出された太陽光の光量の推移と、上記屋外光センサ１９によって検出された太陽光の光量の推移とを比較し、両者に相関が無いと判断された場合に、異常を示す情報を出力してもよい。
【０１３５】
すなわち、制御装置１０は、通常は屋外光と連動する放光面１５ａの光量が屋外光と連動していないことが検出された場合には、異常情報を出力することで、調光制御処理の精度を向上させることができる。ここで上記両推移に相関が無くなる原因としては、例えば採光センサ１８に直射光が当たったり、苗Ｖや人の影になって採光量が減少したり等の事態が想定される。水耕栽培システムのユーザは、当該異常情報を受けて、採光センサ１８の位置を調節する等の処置を講じることができる。
【０１３６】
また制御装置１０は、上記異常が検出された場合に、各採光センサ１８からの出力を分析し、異常値を出力している採光センサ１８を特定し、当該採光センサ１８からの出力を、少なくとも一定期間、調光制御処理に用いないよう自動的に制御してもよい。
【０１３７】
上述の実施形態においては、人工光照射装置としてＬＥＤ１７が用いられたが、人工光照射装置はこれに限られず、例えば蛍光灯や有機発光ダイオード（ＯＬＥＤ）等が用いられてもよい。
【０１３８】
上述の実施形態では、１時間及び１日を単位として調光制御処理が実行されたが、制御単位はこれらに限られず、適宜その単位が変更されても構わない。
【０１３９】
上述の実施形態では、放光面１５ａは、一対のアクリル板１５の各外側の面として設けられたが、放光面１５ａはアクリル板に設けられる必要は無く、採光装置１３を構成する部材のいずれかに設けられていればよい。
【０１４０】
上述の実施形態では、制御装置１０は、水耕栽培ユニット１１が設置される場所と同じ場所（植物工場）に設置される例が示されたが、制御装置１０は、当該植物工場から離間した位置に設置されていてもよく、例えばインターネット上（クラウド上）にサーバとして設けられていてもよい。その場合、植物工場には、当該インターネット上の制御装置１０との間で、上記採光センサ１９の検出値やＬＥＤ１７の出力値またはＯＮ／ＯＦＦコマンド等の上記調光制御処理に必要なデータのやり取りを中継するための制御盤やコンピュータが設けられてもよい。
【符号の説明】
【０１４１】
１…ＣＰＵ
８…記憶部
９…通信部
１０…制御装置
１１…水耕栽培ユニット
１２…栽培パネル
１２ａ…栽培面
１３…採光装置
１４…採光口
１５…アクリル板
１５ａ…放光面
１６…拡散板
１７…ＬＥＤ
１８…採光センサ
１９…屋外光センサ
１００…水耕栽培システム
Ｌ…液肥
Ｖ…苗
【図１】
2017212886.tif 000003
【図２】
2017212886.tif 000004
【図３】
2017212886.tif 000005
【図４】
2017212886.tif 000006
【図５】
2017212886.tif 000007
【図６】
2017212886.tif 000008
【図７】
2017212886.tif 000009
【図８】
2017212886.tif 000010
【図９】
2017212886.tif 000011
【図１０】
2017212886.tif 000012
【図１１】
2017212886.tif 000013
【図１２】
2017212886.tif 000014
【図１３】
2017212886.tif 000015
【図１４】
2017212886.tif 000016
【図１５】
2017212886.tif 000017